(57)【要約】【課題】スパナやドライバーなどの調整工具を用意する必要もなく上下調整作業を簡単に行なえ、しかも、ランナー台を確実に保持した状態でランナー台を戸パネルから簡便に取り外すことができるランナーユニットを提供する。【解決手段】上下調整機構４５を備えた面組み型のランナーユニットにおいて、ランナー軸１２とランナー台１３との間に上下調整機構４５を設ける。上下調整機構４５を調整操作する操作軸４６をランナー台１３の外面に突出する状態で設け、操作軸４６の突端に片手で握り保持可能な操作具５０を固定する。以て、操作軸４６を操作具５０で直接回転操作して上下調整機構４５を調整操作できるようにする。【選択図】図１
0003141545.tif 000002
【実用新案登録請求の範囲】
【請求項１】
戸パネル（１）がガイドレール（２）にランナーユニットを介して吊持され、ランナーユニットを構成するホルダー（１０）が戸パネル（１）の表裏面壁のいずれかに埋設してある面組み型のランナーユニットであって、
ランナーユニットは、ガイドレール（２）で走行案内されるランナー本体（１１）と、ランナー本体（１１）でランナー軸（１２）を介して吊持されるランナー台（１３）と、戸パネル（１）に固定される前記ホルダー（１０）とで構成されており、
ランナー台（１３）とホルダー（１０）との間に、ホルダー（１０）に差し込み係合したランナー台（１３）をロック保持するロック構造（３２）が設けられており、
ランナー軸（１２）とランナー台（１３）との間に、戸パネル（１）の上下位置を調整する上下調整機構（４５）が設けられており、
上下調整機構（４５）を調整操作する操作軸（４６）が、ランナー台（１３）の外面に突出する状態で設けられて、操作軸（４６）の突端に片手で握り保持可能な操作具（５０）が固定されており、
操作軸（４６）を操作具（５０）で直接回転操作して上下調整機構（４５）を調整操作できることを特徴とするランナーユニット。
【請求項２】
前記操作具（５０）が、操作軸（４６）の中心軸線の周囲全体に握り部を備えた回転操作型のノブで構成してある請求項１記載のランナーユニット。
【請求項３】
ホルダー（１０）にランナー台（１３）を受け入れる連結穴（１７）が形成されており、
ロック構造（３２）は、ランナー台（１３）に支持されて、ロック位置とロック解除位置との間を揺動変位できるロック体（３３）と、ロック体（３３）をロック位置へ向かって揺動付勢する付勢手段（３４）と、前記連結穴（１７）に設けられてロック体（３３）と係合する係合溝（１９）とを含み、
ロック体（３３）には、ロック体（３３）をロック解除操作するための解除片（３７）が設けられており、
解除片（３７）は、その突端が操作具（５０）と対向する状態でランナー台（１３）の外面に突設されており、
解除片（３７）をロック解除操作する状態において、解除片（３７）と操作具（５０）とを片手で同時に掴むことができる請求項１または２記載のランナーユニット。
【請求項４】
ランナー台（１３）が、台本体（２８）と、台本体（２８）に固定されるカバー（２９）とで構成されており、
台本体（２８）とカバー（２９）との間の収容部（３１）にロック体（３３）を配置した状態において、ロック体（３３）の外側縁に設けたロック縁（３６）が収容部（３１）の外側方へ突出し、解除片（３７）がカバー（２９）に設けた窓（３８）を介して外面に突出している請求項１、２、３または４記載のランナーユニット。
【請求項５】
ロック体（３３）のロック縁（３６）に案内面（３９）が形成されており、
ランナー台（１３）をホルダー（１０）の連結穴（１７）に差し込み連結する過程で、前記案内面（３９）が連結穴（１７）の開口縁と接当して、ロック体（３３）を付勢手段（３４）の付勢力に抗してロック解除方向へ揺動操作できる請求項３または４記載のランナーユニット。
【考案の詳細な説明】
【技術分野】
【０００１】
本考案は、戸パネルがガイドレールにランナーユニットを介して吊持され、ランナーユニットを構成するホルダーが戸パネルの表裏面壁のいずれかに埋設してある面組み型のランナーユニットに関する。
【背景技術】
【０００２】
この種の面組み型のランナーユニットは、特許文献１に公知である。そこでは、走行部材と、走行部材で調整ボルトを介して支持される連結部材と、戸パネルに取り付けたベースカップとでランナーユニットを構成している。ベースカップには嵌合凹部が設けてあり、連結部材に設けたロック機構が嵌合凹部に着脱可能に固定される。連結部材をベースカップから取り外す際には、ロックレバーをロック解除操作してロック機構の係合を解除することにより、連結部材を嵌合凹部から取り外すことができる。また、調整ボルトに設けられた操作部材を回転操作して、戸パネルの上下位置を調整できるようになっている。
【０００３】
本考案においては、上下調整機構の伝動要素として一対の傘歯車を利用するが、この種の調整機構は、特許文献２および３に公知である。そこでは、調整機構をドライバー等の調整工具で回転操作することにより、原動側の傘歯車で従動側の傘歯車を回転操作して、従動側の傘歯車の回転方向と回転量に応じて、ランナー軸をねじ機構で上下に調整移動できるようにしている。
【０００４】
【特許文献１】特開２００４―２７０２２０号公報（図１、図２）
【特許文献２】特開平７−３１０４７０号公報（図１、図３）
【特許文献３】特開平１０−４６９０５号公報（図３）
【考案の開示】
【考案が解決しようとする課題】
【０００５】
特許文献１のロック機構では、ロックレバーを下方へ押し下げ操作して、ロック機構をロック解除した状態で連結部材を嵌合凹部から分離することができる。しかし、一人の作業者のみでランナーユニットの分離作業を行う場合には、片方の手で戸パネルを支えた状態で、他方の手の指先でロックレバーを操作する必要がある。つまり、ロックレバーを指先で掴んで押し下げたまま、連結部材を嵌合凹部から抜き出して分離しなければならない。そのため連結部材を抜き出すのが難しく、連結部材を簡単には分離できない不便さがある。
【０００６】
折り戸や引戸において、ガイドレールを開口枠に固定する場合には電動工具を使用するが、戸パネルの上下調整を行う際には、特許文献１、２および３のいずれにおいても、スパナやドライバーなどの調整工具を用いて調整する必要がある。そのため、施工時には電動工具以外に、余分に調整工具を用意する必要があり煩わしい。また、調整のための操作部がどこにあるのかがわかり難い不利もある。
【０００７】
本考案の目的は、一見するだけで調整具と判断でき、スパナやドライバーなどの調整工具を用意する必要もなく上下調整作業を簡単に行なえるランナーユニットを提供することにある。本考案の目的は、ランナー台を確実に保持した状態でランナー台のロック状態を解除して、戸パネルの取り外し作業を容易に行えるランナーユニットを提供することにある。
【課題を解決するための手段】
【０００８】
本考案は、戸パネル１がガイドレール２にランナーユニットを介して吊持され、ランナーユニットを構成するホルダー１０が戸パネル１の表裏面壁のいずれかに埋設してある面組み型のランナーユニットを対象とする。ランナーユニットは、ガイドレール２で走行案内されるランナー本体１１と、ランナー本体１１でランナー軸１２を介して吊持されるランナー台１３と、戸パネル１に固定される前記ホルダー１０とで構成する。ランナー台１３とホルダー１０との間に、ホルダー１０に差し込み係合したランナー台１３をロック保持するロック構造３２を設け、ランナー軸１２とランナー台１３との間に、戸パネル１の上下位置を調整する上下調整機構４５を設ける。上下調整機構４５を調整操作する操作軸４６は、ランナー台１３の外面に突出する状態で設けられて、操作軸４６の突端に片手で握り保持可能な操作具５０が固定してある。以て、操作軸４６を操作具５０で直接回転操作して上下調整機構４５を調整操作できることを特徴とする。
【０００９】
前記操作具５０は、操作軸４６の中心軸線の周囲全体に握り部を備えた回転操作型のノブで構成する。
【００１０】
ホルダー１０にランナー台１３を受け入れる連結穴１７を形成する。ロック構造３２は、ランナー台１３に支持されて、ロック位置とロック解除位置との間を揺動変位できるロック体３３と、ロック体３３をロック位置へ向かって揺動付勢する付勢手段３４と、前記連結穴１７に設けられてロック体３３と係合する係合溝１９とを含む。ロック体３３には、ロック体３３をロック解除操作するための解除片３７を設ける。解除片３７は、その突端が操作具５０と対向する状態でランナー台１３の外面に突設する。以て、解除片３７をロック解除操作する状態において、解除片３７と操作具５０とを片手で同時に掴むことができるようにする。
【００１１】
ランナー台１３は、台本体２８と、台本体２８に固定されるカバー２９とで構成する。台本体２８とカバー２９との間の収容部３１にロック体３３を配置した状態において、ロック体３３の外側縁に設けたロック縁３６が収容部３１の外側方へ突出し、解除片３７がカバー２９に設けた窓３８を介して外面に突出している。
【００１２】
ロック体３３のロック縁３６に案内面３９を形成する。ランナー台１３をホルダー１０の連結穴１７に差し込み連結する過程で、案内面３９が連結穴１７の開口縁と接当して、ロック体３３を付勢手段３４の付勢力に抗してロック解除方向へ揺動操作できるようにする。
【考案の効果】
【００１３】
本考案の面組み型のランナーユニットにおいては、ランナー台１３とホルダー１０との間にランナー台１３をロック保持するロック構造３２を設け、さらに、ランナー軸１２とランナー台１３との間に上下調整機構４５を設けるようにした。そのうえで、上下調整機構４５の操作軸４６をランナー台１３の外面に突出する状態で設け、操作軸４６の突端に片手で握り保持可能な操作具５０を固定し、操作軸４６を操作具５０で直接回転操作して上下調整機構４５を調整操作できるようにした。
【００１４】
このように、上下調整機構４５の操作軸４６を操作具５０で直接回転操作できるようにすると、スパナやドライバーなどの調整工具を用意する必要がなく、操作具５０を手で回転させるだけの簡単な操作で、戸パネル１の上下調整を行なうことができる。さらに、操作具５０を一見するだけで調整具であることが理解できる利点もある。
【００１５】
前記操作具５０を回転操作型のノブで構成すると、操作具５０の全体を片手で握り締めて回転操作することができるので、力を入れやすく戸パネル１の上下調整を簡単に行うことができるうえ、操作具５０を介してランナー台１３を確りと保持して、その抜き出し操作を確実に行える。操作具５０がレバーやハンドルの場合には、回転操作をすると操作具５０の位置が変化してしまうが、そのような不具合もない。
【００１６】
ロック体３３と、ロック体３３をロック付勢する付勢手段３４と、ホルダー１０に設けた係合溝１９などでロック構造３２を構成し、ロック体３３に設けた解除片３７の突端を操作具５０と対向させると、指先で解除片３７をロック解除操作するときに、解除片３７と操作具５０とを同時に掴むことができる。したがって、指先で解除片３７をロック解除状態に保持した状態のままで、操作具５０を指の腹と手のひらで同時に確りと掴んで、従来のロック構造に比べて、ランナー台１３の抜き出し操作を容易にしかも簡便に行なうことができる。
【００１７】
台本体２８とカバー２９とでランナー台１３を構成し、台本体２８とカバー２９との間の収容部３１にロック体３３や付勢手段３４を配置するロック構造によれば、ロック体３３や付勢手段３４を台本体２８とカバー２９とで保護して、ロック体３３や付勢手段３４に他物が噛み込んで動作不良に陥るのを良く防止できる。また、カバー２９に設けた窓３８を介して解除片３７を外面に突出することにより、ロック体３３の動作範囲を窓３８で規制して、ロック体３３が過剰に動くのを規制し、全体としてロック構造を常に安定した状態で作動させることができる。
【００１８】
ロック体３３のロック縁３６に案内面３９を形成し、ランナー台１３を連結穴１７に差し込み連結する過程で、案内面３９が連結穴１７の開口縁と接当して、ロック体３３をロック解除方向へ揺動操作できるようにしてあると、ランナー台１３を連結穴１７へ向かって差し込むだけでロック体３３をロック解除し、さらに係合溝１９に自動的に落ち込み係合することができる。したがって、ランナー台１３のホルダー１０に対する連結作業をより簡便に行なえる。
【考案を実施するための最良の形態】
【００１９】
（実施例）  図１ないし図９に本考案のランナーユニットを、クローゼットの開口面を開閉する折り戸に適用した実施例を示す。図２において、符号１は木製の戸パネル、符号２はアルミニウム製のガイドレールである。折り戸は、戸パネル１・１の隣接縁どうしをヒンジ３で連結して構成してあり、両戸パネル１はランナーユニットを介してガイドレール２で吊持され、その下端が床面に設けたガイド溝４と戸パネル１の下面に固定された振れ止め具５とで開閉案内される。折り戸を全展開した状態において、開口中央で隣接する側の戸パネル１の屈折縁の近傍には、折り戸を開閉操作する把手６が固定してある。
【００２０】
図３においてランナーユニットは、ガイドレール２に組み込まれるローラ側ユニットと、戸パネル１の内面、即ちクローゼットの内部空間に面する側の壁面に埋設固定されるホルダー１０とからなる。ローラ側ユニットは、ランナー本体１１と、ランナー本体１１でランナー軸１２を介して支持されるランナー台１３とからなる。ランナー台１３をホルダー１０に差し込み装填することにより、戸パネル１をガイドレール２に吊り込むことができる。
【００２１】
ホルダー１０は、戸パネル１に形成した取付穴に嵌め込み固定する。図３および図４に示すようにホルダー１０は、断面が不完全円状の埋設部１５と、埋設部１５の前面周縁に張り出し形成したトンネル断面形のフランジ部１６とを有するプラスチック成形品からなり、その内部にランナー台１３を受け入れる連結穴１７が形成してある。連結穴１７の断面形状は不完全円状に形成してあり、連結穴１７の周囲壁の左右には、スリット状の係合溝１９・１９がそれぞれ貫通状に形成してある。連結穴１７は、ホルダー１０の前面および上面で開口しており、前面開口の側からランナー台１３を差し込んで連結する。埋設部１５を戸パネル１の取付穴に装填した後、フランジ部１６の３箇所をビス２０で戸パネルに締結することによりホルダー１０を戸パネル１に固定できる。
【００２２】
図３および図６に示すようにランナー本体１１は、プラスチック成形品である走行ブロック２２と、走行ブロック２２の前後に左右一対ずつ配置した４個のローラ２３と、これらのローラ２３を遊転自在に軸支するローラ軸２４とからなる。走行ブロック２２の中央部には、これを上下に貫通する状態でランナー軸１２を配置する。ランナー軸１２の上端部に形成したフランジ１２ａは、走行ブロック２２の上面に形成した受け座２５で受け止め支持され、フランジ１２ａの上面が、走行ブロック２２に水平方向に挿入固定した２本のピン２６・２６で受け止められて上方へ抜け止めされている。
【００２３】
図１および図５に示すようにランナー台１３は、後述する一対の傘歯車４７・４８を収容する収容室４０を備えた台本体２８と、台本体２８の前面側にビス３０で固定されるカバー２９とからなる。台本体２８とカバー２９とはプラスチック成形品からなり、台本体２８とカバー２９との間に収容部３１が形成される。収容部３１には、ロック構造３２を配置する。ランナー台１３の断面形状は、先に述べたホルダー１０の連結穴１７の断面形状と一致させてあり、収容部３１の左右部分はランナー台１３の両側外面へ向かって開口している（図７参照）。
【００２４】
図５および図７に示すようにロック構造３２は、ロック体３３・３３と各ロック体３３をロック位置へ向かって付勢する逆Ｕ字状のトーション型のばね（付勢手段）３４と、連結穴１７の左右に設けた係合溝１９・１９とで構成する。各ロック体３３は、逆Ｌ字状のプラスチック成形品からなり、その外側縁に部分円弧状のロック縁３６が形成され、前面に解除片３７が前向きに突設してある。ロック体３３の上部を揺動軸３５で軸支することにより、ロック体３３は、先のロック縁３６が収容部３１の外側方へ突出するロック位置と、ロック縁３６が収容部３１の内部に納まるロック解除位置との間で揺動できる（図９参照）。本実施例では、台本体２８にカバー２９を固定する４個のビス３０のうち、上部左右のビス３０を利用して揺動軸３５・３５とした。
【００２５】
図７および図８に示すように、ロック体３３を収容部３１に組み込んだ状態においては、ロック縁３６が収容部３１の外側方へ突出し、さらに解除片３７がカバー２９の中央左右に開口した窓３８からランナー台１３の前面外方へ突出して、後述する操作具５０と前後に対向する。左右のロック体３３・３３は、ばね３４で互いに離れる向きに付勢してある。各ロック体３３の揺動範囲は、解除片３７と交差する窓３８の左右内縁で規定される。ロック体３３は、解除片３７をばね３４に抗して互いに近接操作することでロック解除状態に切り換えることができる。ロック縁３６の背面側には、連結穴１７の前開口縁に接当して、ロック体３３をばね３４の付勢力に抗してロック解除する案内面３９が斜めに形成してある（図９参照）。
【００２６】
ランナー軸１２とランナー台１３との間には、上下調整機構４５を配置する。図１および図６に示すように上下調整機構４５は、ランナー軸１２と交差する状態でランナー台１３に軸支される操作軸４６と操作軸４６、およびランナー軸１２に装着されて、操作軸４６の回転動力を伝動する原動側および従動側の傘歯車４７・４８と、従動側傘歯車４８とランナー軸１２との間に設けられて、従動側傘歯車４８の回転動作を上下動作に変換するねじ機構４９と、ランナー台１３の外面に突出する操作軸４６に固定される操作具５０とを含んで構成する。上記の構成部品のうち、両傘歯車４７・４８とねじ機構４９などが台本体２８の収容室４０に収容される。両傘歯車４７・４８を組み付けるために、収容室４０の左右両側は開口されている。
【００２７】
操作具５０は、円盤状ブロックの周囲に６個の指掛凹部５０ａを均等間隔おきに形成した回転操作型のノブからなり、ノブの成形過程において、肉壁中央部分に先の操作軸４６の一端がインサート固定してある。操作軸４６の軸端は、先の原動側の傘歯車４７に係合されてピンで同行回転可能に連結してある。台本体２８およびカバー２９には、操作軸４６を回転自在に支持する支持孔５２・５３がそれぞれ前後貫通状に形成してある。
【００２８】
ランナー軸１２は、台本体２８の上面から収容室４０に向かって上下貫通状に形成した軸孔４１に挿通されて、先の従動側の傘歯車４８を介してランナー台１３と一体化してある。組み付け状態における収容室４０の上壁４０ａは従動側の傘歯車４８で受け止められており、これによりランナー台１３の全体がランナー本体１１に対してランナー軸１２を介して吊持される。ランナー軸１２とランナー台１３とは、相対回転不能にしかし上下へは相対移動可能に組み付ける。詳しくは図６に示すように、ランナー軸１２に水平のピン４２を固定し、軸孔４１の対向周面に形成した上下方向に長い溝４３にピン４２を係合する。ねじ機構４９は、ランナー軸１２の下半部に形成したねじ軸５４と、従動側の傘歯車４８に形成したねじ孔５５とからなる。
【００２９】
操作具５０を回転操作すると、従動側の傘歯車４８が原動側の傘歯車４７で回転操作されるので、従動側の傘歯車４８の回転方向と回転量に応じて、ランナー台１３とランナー軸１２とをねじ機構４９で上下に相対移動させて、ランナー本体１１に対するランナー台１３の上下位置を調整し、戸パネル１を上下変位できる。ランナー台１３から突出する操作軸４６の突端部に操作具５０が設けてあるので、スパナやドライバーなどの操作工具を用意する必要もなく、操作具５０を単に握って回転操作するだけで戸パネル１の上下調整を行なうことができる。
【００３０】
以下にランナーユニットの組み付け手順を説明する。ホルダー１０は戸パネル１の取付穴に嵌め込んでビス止めしておく。ランナー本体１１をガイドレール２に組み込んで、レール下方にランナー台１３を吊持する。戸パネル１・１を折り畳んだ状態で下側両端の各振れ止め具５を床面の溝４に嵌めた後、各戸パネル１・１に装着したホルダー１０をランナー台１３の連結穴１７と正対させ、この状態でランナー台１３を連結穴１７に差し込み係合する。
【００３１】
このとき、図９（ａ）に示すように、ロック縁３６の案内面３９と連結穴１７の前開口縁とが接当し、連結穴１７から受ける反力によって、各ロック体３３の全体がばね３４に抗してロック解除方向へ変位する。さらにランナー台１３を押し込み操作すると、ロック縁３６が連結穴１７の穴内に収まるので、ランナー台１３を連結穴１７内に挿入できる。そして、ロック体３３が係合溝１９の位置まで挿入されると、各ロック体３３がばね３４の付勢力を受けてロック位置へ復帰するので、ロック縁３６が係合溝１９で係合保持され、ランナー台１３をホルダー１０に分離不能にロック固定できる。以上のようにランナー台１３とホルダー１０とは、ランナー台１３を連結穴１７に対して差し込み挿嵌するだけの簡単な操作で連結できる。
【００３２】
戸パネル１を取り外す場合には、指先で左右のロック体３３の解除片３７を互いに近接する向きに操作する。これによりロック体３３がロック解除されて、そのロック縁３６が係合溝１９から分離し、収容部３１内に収まる。したがって、ランナー台１３を連結穴１７から抜き出せる。このときの解除片３７は、ランナー台１３と操作具５０との間の空間に位置しているので、図９（ｂ）に示すように、解除片３７を近接操作した指先の腹部分で操作具５０を同時に確りと掴むことができる。したがって、ランナー台１３を確実に保持した状態でホルダー１０から容易に抜き出し操作できる。従来のロック構造に比べて、ランナー台１３の取り外し作業を安定した状態でしかも簡便に行なうことができる。
【００３３】
本実施例では、操作具５０は略六角形の板状としたが、その必要はなく、様々な形状を取ることができる。例えば、三角形や四角形などの多角形、あるいは円形、または円柱や球状に形成することができる。必要があれば、回転操作型のノブに変えて、レバーハンドル状に形成することができる。付勢手段３４は捻りコイル形のばねや、圧縮コイル形のばねなどで構成することができる。
【００３４】
上下調整機構は、傘歯車を伝動要素にして形成する必要はない。例えば、操作軸４６の回転動作をねじ機構を介して調整レバーの上下揺動に変換し、調整レバーの上下変位動作分だけランナー軸１２が上下変位する上下調整機構であってもよい。要は、操作軸４６を回転操作して上下調整を行なう上下調整機構であれば、その構造の如何は問わない。
【図面の簡単な説明】
【００３５】
【図１】ランナー台をホルダーに連結した状態での断面図である。
【図２】折り戸の概略構造を示す正面図である。
【図３】ランナー台とホルダーとを分離した状態での正面図である。
【図４】ランナー台とホルダーとを分離した状態での断面図である。
【図５】ランナー台の分解斜視図である。
【図６】図１におけるＡ−Ａ線断面図である。
【図７】図１におけるＢ−Ｂ線断面図である。
【図８】図７におけるＣ−Ｃ線断面図である。
【図９】ランナー台の組み付けおよび取り外し方法の説明図である。
【符号の説明】
【００３６】
１  戸パネル
２  ガイドレール
１０  ホルダー
１１  ランナー本体
１２  ランナー軸
１３  ランナー台
１７  連結穴
１９  係合溝
２８  台本体
２９  カバー
３１  収容部
３２  ロック構造
３３  ロック体
３４  付勢手段（ばね）
３６  ロック縁
３７  解除片
３８  窓
３９  案内面
４５  上下調整機構
４６  操作軸
５０  操作具
【図１】
0003141545.tif 000003
【図２】
0003141545.tif 000004
【図３】
0003141545.tif 000005
【図４】
0003141545.tif 000006
【図５】
0003141545.tif 000007
【図６】
0003141545.tif 000008
【図７】
0003141545.tif 000009
【図８】
0003141545.tif 000010
【図９】
0003141545.tif 000011